(57)【要約】【課題】部品点数を削減するとともに端子同士を短絡させるジョイントコネクタを提供する。【解決手段】複数の電線３０に接続される複数の端子４０と、端子収容室１２を有する絶縁ハウジング１０と、端子収容室１２に収容された各端子４０と嵌合可能な複数の嵌合部２２を有するとともに、嵌合部２２に嵌合された各端子４０同士を短絡させる短絡部材２０とを設け、この短絡部材２０を、嵌合部２２と端子収容室１２に挿入される端子４０とが嵌合することが可能な第一の位置と、第一の位置から離間した第二の位置との間で端子４０と一体に移動可能なように絶縁ハウジング１０に保持させるとともに、絶縁ハウジング１０に、短絡部材２０を係止する係止部１６と、第二の位置に移動した短絡部材２０の嵌合部２２と嵌合する位置にある各端子４０を、これらの端子４０が端子収容室１２から抜け出るのを規制するように係止する抜け止め部１５とを設ける。【選択図】図６
2008198392.tif 000002
【特許請求の範囲】
【請求項１】
複数の電線の端末にそれぞれ接続される複数の端子と、
当該複数の端子がそれぞれ後方から挿入される端子収容室を有する絶縁ハウジングと、
前記端子収容室に収容された前記複数の端子とそれぞれ嵌合可能な複数の嵌合部を有するとともに、当該嵌合部に嵌合された前記複数の端子同士を導通可能に短絡させる金属製の短絡部材とを備え、
当該短絡部材は、その嵌合部と前記端子収容室に後方から挿入される前記端子とが嵌合することが可能な第一の位置と、当該第一の位置から離間した第二の位置との間で前記端子と一体に移動可能なように前記絶縁ハウジングに保持され、
前記絶縁ハウジングは、前記短絡部材を係止する係止部と、前記第二の位置に移動した短絡部材の嵌合部と嵌合する位置にある前記各端子をこれらの端子が前記端子収容室から後方に抜け出るのを規制するように係止するための抜け止め部とを有することを特徴とするジョイントコネクタ。
【請求項２】
請求項１に記載のジョイントコネクタであって、
前記第二の位置は、前記第一の位置から前記端子の挿入方向と垂直な方向に離間した位置であることを特徴とするジョイントコネクタ。
【請求項３】
請求項２に記載のジョイントコネクタであって、
前記複数の端子は、各端子が接続される各電線から当該端子の挿入方向と垂直な方向に突出する当接部を有しており、
前記抜け止め部は、前記端子収容室に後方から挿入される前記端子が前記第一の位置にある前記短絡部材と嵌合するのを許容する一方、前記第二の位置にある短絡部材と嵌合する位置にある前記端子の当接部に対してその後方から当接するような形状を有することを特徴とするジョイントコネクタ。
【請求項４】
請求項１〜３に記載のジョイントコネクタであって、
前記短絡部材には、前記各嵌合部にそれぞれ嵌合する前記各端子をその嵌合位置でそれぞれ係止する複数の端子係止部が一体に形成されており、
当該端子係止部は、前記端子の係止が可能な係止位置と、この係止位置から退避して前記端子の係止状態を解除する係止解除位置との間で弾性変形可能な形状を有することを特徴とするジョイントコネクタ。
【請求項５】
請求項１〜４のいずれかに記載のジョイントコネクタであって、
前記絶縁ハウジングは、前記短絡部材を前記第一の位置で係止する仮係止部を有することを特徴とするジョイントコネクタ。
【請求項６】
請求項１〜５のいずれかに記載のジョイントコネクタであって、
前記絶縁ハウジングは、前記短絡部材を前記第一の位置と第二の位置との間で移動可能となるように収容可能な収容部を有するとともに、当該収容部に収容された前記短絡部材が前記第一の位置から第二の位置に移動するように当該短絡部材を前記絶縁ハウジングの外側から操作するための操作部を有することを特徴とするジョイントコネクタ。
【発明の詳細な説明】
【技術分野】
【０００１】
本発明は、複数の端子を短絡させることのできるジョイントコネクタに関するものである。
【背景技術】
【０００２】
従来、自動車等の電気系統において一つの信号を複数の信号路に分岐させるためのコネクタとして、前記のような複数の端子を短絡させることのできるジョイントコネクタが各種開発されている。
【０００３】
例えば特許文献１には、複数の電線にそれぞれ接続される複数の端子と、絶縁ハウジングと、リテーナと、短絡端子とを備えたジョイントコネクタが開示されている。前記リテーナは合成樹脂からなり、このリテーナと金属製の前記短絡端子とはインサート成形により一体化されている。
【０００４】
前記絶縁ハウジングは前記複数の端子を収容するためのものである。そして、この絶縁ハウジングに収容された複数の端子は、前記リテーナがこの絶縁ハウジングに係止されることによって、このリテーナの端子抜け止め部によって前記絶縁ハウジングに抜け止め状態に保持されるとともに、このリテーナと一体に形成された短絡端子が前記複数の端子と嵌合してこれらの複数の端子が短絡する。
【特許文献１】特開２００２−１８４５０５号公報
【発明の開示】
【発明が解決しようとする課題】
【０００５】
前記のジョイントコネクタでは、短絡端子および絶縁ハウジングに加え、前記端子の抜け止めのためにそれ専用のリテーナを設ける必要がある。そのため、部品点数が増大し、構造が複雑化してしまうという問題がある。
【０００６】
本発明は、このような事情に鑑み、部品点数を削減するとともに簡単な構造で端子同士を短絡することのできるジョイントコネクタの提供を目的とする。
【課題を解決するための手段】
【０００７】
前記課題を解決するための手段として、本発明は、複数の電線の端末にそれぞれ接続される複数の端子と、当該複数の端子がそれぞれ後方から挿入される端子収容室を有する絶縁ハウジングと、前記端子収容室に収容された前記複数の端子とそれぞれ嵌合可能な複数の嵌合部を有するとともに、当該嵌合部に嵌合された前記複数の端子同士を導通可能に短絡させる金属製の短絡部材とを備え、当該短絡部材は、その嵌合部と前記端子収容室に後方から挿入される前記端子とが嵌合することが可能な第一の位置と、当該第一の位置から離間した第二の位置との間で前記端子と一体に移動可能なように前記絶縁ハウジングに保持され、前記絶縁ハウジングは、前記短絡部材を係止する係止部と、前記第二の位置に移動した短絡部材の嵌合部と嵌合する位置にある前記各端子をこれらの端子が前記端子収容室から後方に抜け出るのを規制するように係止するための抜け止め部とを有することを特徴とするジョイントコネクタを提供する（請求項１）。
【０００８】
このような構成によれば、前記短絡部材を前記第一の位置に位置させることで、前記端子収容室に収容された各端子と前記嵌合部とをそれぞれ嵌合させることができ、その嵌合状態のまま前記短絡部材を前記第二の位置に移動させることで、各端子が前記端子収容室から抜け出るのを規制することができる。すなわち、前記短絡部材を前記第二の位置に移動させると、この短絡部材に嵌合する各端子は前記抜け止め部により係止される位置に移動し、この抜け止め部が前記端子収容室から後方への各端子の抜け出しを阻止する。
【０００９】
このように、前記構成では、従来のリテーナの代わりに前記短絡部材と前記複数の端子とを一体に移動させることで、前記絶縁ハウジングに設けられた抜け止め部によって、当該端子の抜けを規制しているので、この端子の抜けを規制するためのリテーナを別途設ける必要がなくなり、部品点数を削減することが可能となる。
【００１０】
また本発明において、前記第二の位置は、前記第一の位置から前記端子の挿入方向と垂直な方向に離間した位置であるのが好ましい（請求項２）。
【００１１】
このようにすれば、前記短絡部材および各端子を端子の挿入方向と垂直な方向に移動させることで各端子の抜けを規制するので、各端子に端子挿入方向と平行な引っ張り力が加えられたとしても、各端子の移動をより確実に規制し端子の抜けを阻止することが可能となる。
【００１２】
また本発明において、前記複数の端子は、各端子が接続される各電線から当該端子の挿入方向と垂直な方向に突出する当接部を有しており、前記抜け止め部は、前記端子収容室に後方から挿入される前記端子が前記第一の位置にある前記短絡部材と嵌合するのを許容する一方、前記第二の位置にある短絡部材と嵌合する位置にある前記端子の当接部に対してその後方から当接するような形状を有するのが好ましい（請求項３）。
【００１３】
この構造によれば、前記抜け止め部を回避して前記端子を容易に挿入することができる一方、各端子の当接部に前記抜け止め部を後方から当接させることで、これら端子の抜けをより効果的に規制することができる。
【００１４】
また本発明において、前記短絡部材には、前記各嵌合部にそれぞれ嵌合する前記各端子をその嵌合位置でそれぞれ係止する複数の端子係止部が一体に形成されており、当該端子係止部は、前記端子の係止が可能な係止位置と、この係止位置から退避して前記端子の係止状態を解除する係止解除位置との間で弾性変形可能な形状を有するのが好ましい（請求項４）。
【００１５】
この構造によれば、前記端子係止部によって前記複数の端子を前記嵌合部と嵌合する嵌合位置で前記短絡部材に係止することができるので、この短絡部材が前記第一の位置と第二の位置とに移動する際等に前記嵌合状態が解除されてしまうのを抑制することができる。また、この構造によれば、前記端子係止部を前記係止解除位置に変位させつつこの端子係止部に沿って端子を挿入すればよいので、当該端子を容易に挿入することが可能になる。
【００１６】
特に、この端子係止部は前記短絡部材に一体に形成されており金属製であるので、この端子係止部を合成樹脂等で形成する場合に比べて、金属製の端子との摩擦抵抗を小さくすることができる。従って、前記のように端子係止部に沿って端子を挿入する際に、これら端子をより容易に挿入することが可能となる。一方、前記端子係止部を金属製とすることでこの端子係止部の剛性を高めることができるので、各端子をこの端子係止部に係止させた際に、各端子との係合力を高めることが可能となる。
【００１７】
また本発明において、前記絶縁ハウジングは、前記短絡部材を前記第一の位置で係止する仮係止部を有するのが好ましい（請求項５）。
【００１８】
このようにすれば、前記短絡部材が前記第一の位置で係止されるので、前記複数の端子を前記端子収容室に容易に挿入することができるとともに当該複数の端子と前記嵌合部との嵌合をより安定して行うことが可能となる。
【００１９】
また本発明において、前記絶縁ハウジングは、前記短絡部材を前記第一の位置と第二の位置との間で移動可能となるように収容可能な収容部を有するとともに、当該収容部に収容された前記短絡部材が前記第一の位置から第二の位置に移動するように当該短絡部材を前記絶縁ハウジングの外側から操作するための操作部を有するのが好ましい（請求項６）。
【００２０】
このようにすれば、前記短絡部材の外部への露出を避けながら、当該短絡部材の移動を可能にできる。ここで、前記操作部とは、例えば、前記短絡部材を押圧操作して移動させるための所定のジグを挿入可能な貫通孔であってもよいし、前記絶縁ハウジングに形成されて、前記短絡部材を押圧操作して移動させることのできるたわみ片であってもよい。
【発明の効果】
【００２１】
以上のように、本発明によれば、簡単な構成で部品点数を削減可能なジョイントコネクタを提供することができる。
【発明を実施するための最良の形態】
【００２２】
本発明に係るジョイントコネクタの実施形態について図面を参照しながら説明する。
【００２３】
図１は、本発明に係るジョイントコネクタの概略斜視図である。図２は、図１において後述する絶縁ハウジングを透視した状態で示す前記ジョイントコネクタの概略斜視図である。これらの図に示すように、本ジョイントコネクタ１は、複数の電線３０の端末がそれぞれ接続される金属製の端子４０と、合成樹脂等からなる絶縁ハウジング１０と、金属製のバスバー（短絡部材）２０とを有している。本ジョイントコネクタ１は、前記バスバー２０を介して前記複数の端子４０同士を電気的に短絡させるためのものである。
【００２４】
前記端子４０は、図４等に示すように、導電性の金属板が折り曲げられることにより形成された雌型のものであり、バレル部４０ａと、電気接続部４２とを有している。
【００２５】
前記バレル部４０ａは、電線３０の端末に圧着される部分である。前記電気接続部４２は、後述するバスバー２０の嵌合部２２にそれぞれ嵌合し、この嵌合によってバスバー２０に電気的に接続される部分である。この電気接続部４２は、角筒状の本体４２ａと、この本体４２ａ内に形成される接触ばね片４２ｂとを有しており、本体４２ａの前側の開口部から前記嵌合部２２が挿入されることで嵌合部２２と嵌合し、この嵌合により嵌合部２２と電気的に接続される。また、この電気接続部４２には、その外側面から突出して、後述するバスバー２０の端子係止部２４に設けられた端子係止孔２４ａと係合可能な端子被係止突起４４が設けられている。
【００２６】
前記バスバー２０は、前記複数の端子４０同士を短絡させるためのものであり、１枚の金属板から形成されている。このバスバー２０は、図３に示すように、複数の前記嵌合部２２と、これら嵌合部２２の配列方向に延びる接続部２１と、この接続部２１の両端から下方に折り曲げられたバスバー側壁部２６と、前記接続部２１の前端部から下方に向けて湾曲する湾曲部２３と、複数の端子係止部２４とを有している。
【００２７】
前記湾曲部２３は、前記接続部２１の前端部から下方に向けて湾曲した先が後方に向けて伸びるような形状を有しており、略Ｕ字状となっている。そして、前記複数の嵌合部２２は、この湾曲部２３の後方に延びる部分の端部からさらに後方に向けて突出し、前記接続部２１と上下方向に互いに対向している。これら嵌合部２２は、この湾曲部２３および前記接続部２１を介して互いに導通可能となっている。
【００２８】
前記嵌合部２２は、前記端子４０の電気接続部４２の本体４２ａ内に挿入されて、各端子４０と嵌合する雄型のものである。各嵌合部２２は、図４等に示すように、対応する端子４０の電気接続部４２の本体４２ａに設けられた接触ばね片４２ｂと接触することで、端子４０と電気的に接続される。ここで、各嵌合部２２は、前記のように前記湾曲部２３を介して導通可能となっているので、複数の端子４０が各嵌合部２２に嵌合され各嵌合部２２とそれぞれ電気的に接続されることで、各端子４０同士が短絡する。
【００２９】
前記端子係止部２４は、各嵌合部２２にそれぞれ嵌合する前記端子４０をその嵌合位置で係止するためのものである。これら端子係止部２４は、前記嵌合部２２とそれぞれ上下方向に対向する位置に設けられる。具体的には、前記接続部２１の中央部に前記嵌合部２２の配列方向に延びる貫通孔２１ａが形成され、その貫通孔２１ａの後側周縁部から前記端子係止部２４が前方に向けてそれぞれ延びている。すなわち、各端子係止部２４は、その後端が前記接続部２１とつながり、前端が上下方向に弾性変位（たわみ）可能な形状を有している。これら端子係止部２４には、上下に貫通する端子係止孔２４ａがそれぞれ形成されており、この端子係止孔２４ａと各端子４０に設けられた後述する端子被係止突起４４とが係合することで、各端子係止部２４が各端子４０を前記嵌合位置で係止する。
【００３０】
また、この端子係止部２４は、前記のように上下方向に弾性変形することで、前記端子４０の係止が可能な係止位置と、この係止位置から退避して前記端子の係止状態を解除する係止解除位置との間で変位する。従って、前記各端子４０を前記端子収容室１２に挿入する際には、各端子４０の前端部でこの端子係止部２４を前記係止解除位置に変位させつつ比較的容易に挿入することができる。
【００３１】
前記バスバー側壁部２６には、上下方向に離間する位置に当該バスバー側壁部２６を貫通するバスバー仮係止孔２６ａとバスバー本係止孔２６ｂとが形成されている。このバスバー仮係止孔２６ａとバスバー本係止孔２６ｂとは、絶縁ハウジング１０に設けられた後述するバスバー係止突起１６と係合可能な形状を有している。そして、このバスバー仮係止孔２６ａと前記バスバー係止突起１６とが係合することで、前記バスバー２０は後述する第一の位置で絶縁ハウジング１０に係止される。また、バスバー本係止孔２６ｂと前記バスバー係止突起１６とが係合することで、バスバー２０は後述する第二の位置で絶縁ハウジング１０に係止される。
【００３２】
前記絶縁ハウジング１０は、その内側に前記バスバー２０および前記複数の端子４０を上下方向に移動可能に収容するものである。この絶縁ハウジング１０には、前記複数の端子４０を収容するための端子収容室１２と、前記バスバー２０を収容するためのバスバー収容室（収容部）１７とが形成されている。
【００３３】
この端子収容室１２は、後方に開口する複数の第一端子挿通部１２ａと、この第一端子挿通部１２ａの前方に形成された第二端子挿通部１２ｂとからなる。
【００３４】
前記第一端子挿通部１２ａは、前記端子４０ごとに設けられており、各端子４０の挿入口として機能するとともに、各端子４０の挿入後は各端子４０の電気接続部４２より後方に設けられるバレル部４０ａ等を収容する部分として機能する。この第一端子挿通部１２ａは、前記絶縁ハウジング１０の後端面から前記第二端子挿通部１２ｂに向けて貫通する貫通孔であって、前記端子４０の電気接続部４２を挿通可能な孔径を有している。
【００３５】
前記第二端子挿通部１２ｂは、前記第一端子挿通部１２ａに挿入された各端子４０の電気接続部４２を収容する部分である。この第二端子挿通部１２ｂは、前記第一端子挿通部１２ａが前方に開口する開口面に連設された底部１３とカバー１４との間に形成されている。前記底部１３とは、絶縁ハウジング１０の底面の一部を構成するものであり、略直方体を有している。一方、前記カバー１４とは、絶縁ハウジング１０の上面および側面の一部を構成するものであり、前記底部１３を覆うような形状を有している。そして、前記第二端子挿通部１２ｂは、前記底部１３に形成された複数の端子挿通溝１３ｂと、当該底部１３とカバー１４とに囲まれた部分からなる。
【００３６】
前記端子挿通溝１３ｂは、前記第一端子挿通部１２ａの底面よりも下方に凹むような形状を有しており、この第一端子挿通部１２ａとの境界部分に段差が存在する。この段差が、端子４０を抜け止め状態に係止する抜け止め部１５を形成する。すなわち、前記端子挿通溝１３ｂに挿入された端子４０の電気接続部４２が前記バスバー２０の移動に伴って下方に移動することで、この電気接続部４２の後端面（当接部）４２ｄに前記段差が後方から当接し、この当接により端子４０が端子挿入方向に移動できないようになる。
【００３７】
前記バスバー収容室１７は、前記底部１３とカバー１４とに囲まれた部分によって形成されており、このバスバー収容室１７に前記バスバー２０が後述する第一の位置と第二の位置との間で移動可能に収容されている。また、前記底部１３の両側面には、前記バスバー仮係止孔２６ａおよびバスバー本係止孔２６ｂとそれぞれ係合可能な、バスバー係止突起１６が、外側に突出するように設けられている。そして、前記絶縁ハウジング１０は、前記バスバー係止突起１６とバスバー仮係止孔２６ａとの係合により、前記バスバー収容室１７に収容されたバスバー２０を第一の位置に仮係止することが可能である一方、前記バスバー係止突起１６とバスバー本係止孔２６ｂとの係合により、バスバー２０を第二の位置に本係止することが可能である。
【００３８】
前記第一の位置とは、前記端子収容室１２に挿入された各端子４０を前記嵌合部２２に嵌合させることのできる位置である。また、前記第二の位置とは、前記第一の位置より下方であって、前記バスバー２０に嵌合した各端子４０を前記抜け止め部１５により抜け止め状態に係止することができる位置である。すなわち、バスバー２０がこの第二の位置にある状態では、各端子４０の電気接続部４２の本体４２ａの後端面４２ｄに前記抜け止め部１５が後方から当接して、各端子４０は後方に移動できないようになる。
【００３９】
また、前記絶縁ハウジング１０の上面には操作孔（操作部）１８が形成されている。この操作孔１８は、前記バスバー収容室１７と連通するように開口しており、所定のジグが挿入可能な大きさを有している。そして、前記バスバー収容室１７に収容された前記バスバー２０を前記ジグによって押圧操作することで、このバスバー２０を絶縁ハウジング１０の外部からの操作で、前記第一の位置から第二の位置に移動させることができるようになっている。
【００４０】
次に、前記端子４０を前記絶縁ハウジング１０に挿入し、各端子４０を短絡させるとともに抜け止め状態にする方法について説明する。
【００４１】
まず、前記絶縁ハウジング１０に設けられた前記バスバー係止突起１６とバスバー２０に形成されたバスバー仮係止孔２６ａとを係合させ、バスバー２０を前記第一の位置に仮係止しておく。この状態で、複数の電線３０の端末がそれぞれ接続された複数の端子４０を、前記端子収容室１２の後方からそれぞれ挿入していく。具体的には、各端子４０の前端部分でバスバー２０に設けられた前記端子係止部２４を上方に変位させつつ挿入する。このとき、各端子４０の電気接続部４２には前記バスバー２０の嵌合部２２が挿入され、各電気接続部４２と嵌合部２２とが嵌合する。そして、各端子４０は、前記嵌合部２２に連設された前記湾曲部２３を介して互いに電気的に接続されることで短絡する。また、この端子係止部２４に設けられた端子係止孔２４ａと各端子４０に設けられた端子被係止突起４４とを係合させ、各端子４０を前記嵌合状態にてバスバー２０に一次係止する。
【００４２】
次に、前記絶縁ハウジング１０の操作孔１８にドライバ等のジグを差し込み、このジグによって前記バスバー２０を押圧して下方に移動させる。具体的には、バスバー２０に設けられた前記バスバー本係止孔２６ｂと前記バスバー係止突起１６とが係合する前記第二の位置までバスバー２０を移動させて、前記バスバー本係止孔２６ｂとバスバー係止突起１６との係合によりバスバー２０を前記第二の位置で本係止する。このとき、各端子４０は前記のように端子被係止突起４４により一次係止されているので、バスバー２０はその嵌合部２２と端子４０とが嵌合した状態のままこれら端子４０と一体に移動する。そして、前記バスバー２０が第二の位置に移動すると、各端子４０はその電気接続部４２の後端面４２ｄに抜け止め部１５が後方から当接可能な位置に移る。
【００４３】
このようにして、前記電気接続部４２の後端面４２ｄに抜け止め部１５が後方から当接することで、端子４０は、後向きの引っ張り力が加えられても後方に移動できないように二次係止される。
【００４４】
以上のように、本ジョイントコネクタ１によれば、バスバー２０が、前記第一の位置と第二の位置との間で移動するように絶縁ハウジング１０に保持されており、絶縁ハウジング１０が、前記第二の位置にあるバスバー２０の嵌合部２２と嵌合する位置にある各端子４０を、これらの端子４０が端子収容室１２から後方に抜け出るのを規制するように係止するための抜け止め部１５を有しているので、バスバー２０を第一の位置に保持することで、各端子４０と嵌合部２２とを嵌合させることができるとともに、その嵌合状態のままバスバー２０を第二の位置に移動させることで、各端子４０が端子収容室１２から抜け出るのを規制することができる。すなわち、本ジョイントコネクタ１によればリテーナを別途設けることなく、各端子４０の抜けを規制することができるので、部品点数を削減することが可能となる。
【００４５】
また、前記のように、第二の位置を、第一の位置から前記端子の挿入方向と垂直な方向に離間した位置とすれば、バスバー２０をこの端子の挿入方向と垂直な方向に移動させることで、各端子４０の抜けが規制されることになるので、各端子４０に接続される電線に引っ張り力が加えられた場合に、各端子４０の抜けをより確実に阻止することが可能となる。
【００４６】
また、前記のように、抜け止め部１５を、前記端子４０が前記第一の位置にあるバスバー２０と嵌合するのを許容する一方、前記第二の位置にあるバスバー２０と嵌合する位置にある端子４０の電気接続部４２の後端面４２ｄに対してその後方から当接するような形状とすれば、この抜け止め部１５を回避しつつ端子４０を端子収容室１２に挿入することができる一方、端子４０の抜けをより効果的に規制することができる。
【００４７】
また、バスバー２０に端子４０を前記嵌合部２２との嵌合位置で係止するための端子係止部２４を一体に形成し、この端子係止部２４を、端子４０の係止が可能な係止位置と、この係止位置から退避して端子４０の係止状態を解除する係止解除位置との間で弾性変形可能な形状とすれば、この端子係止部２４により端子４０を前記嵌合部２２との嵌合状態を保ったまま移動させることができるとともに、端子係止部２４を係止解除位置に変位させつつ端子４０を挿入することができるので、各端子４０の挿入を容易に行うことが可能となる。
【００４８】
特に、前記端子係止部２４は金属製のバスバー２０に一体に形成されたものであるので、例えば合成樹脂製の絶縁ハウジング１０に形成されるランスに比べ、金属製の端子４０との摩擦抵抗が低い。そして、この低抵抗は、端子４０の挿入をより容易にする。さらに、この金属製の端子係止部２４は剛性が高く、この高剛性は端子係止部２４と端子４０との係合力の強化、ひいては、端子４０のより確実な係止を実現する。
【００４９】
また、前記のように、第二の位置における本係止に加え、バスバー２０にバスバー仮係止孔２６ａを形成し、絶縁ハウジング１０のバスバー係止突起１６とこのバスバー仮係止孔２６ａを係合させることで、バスバー２０を前記第一の位置で仮係止するようにすれば、バスバー２０を安定した状態でこの第一の位置で保持することができるので、各端子４０の端子収容室１２への挿入と各端子４０と嵌合部２２との嵌合をより容易に行うことが可能となる。
【００５０】
また、絶縁ハウジング１０にバスバー収容室１７を形成し、バスバー２０をこの絶縁ハウジング１０に収容するとともに、絶縁ハウジング１０にこのバスバー２０を操作可能な操作孔１８を形成すれば、バスバー２０の外部への露出を回避しつつこのバスバー２０の移動を可能にすることができる。
【００５１】
ここで、前記実施形態では、前記バスバー２０が端子４０の挿入方向と垂直な方向に移動する場合について示したが、バスバー２０の移動に伴って端子４０の電気接続部４２と抜け止め部１５とが当接すればよく、バスバー２０を斜め方向等に移動するよう構成してもよい。
【００５２】
また、前記抜け止め部１５との当接部は前記電気接続部４２の後端面４２ｄに限られず、前記抜け止め部１５と端子挿入方向と平行に当接可能な部分であればよい。
【００５３】
また、前記端子収容室１２を端子４０のバレル部４０ａを収容する第一端子挿通部１２ａと電気接続部４２を収容する第二端子挿通部１２ｂとにより形成した場合について示したが、この第二端子挿通部１２ｂに前記バレル部４０ａを含む端子４０の全体を収容するようにしてもよい。そして、この場合には、前記抜け止め部１５とバレル部４０ａとの後端部とが当接するように構成すればよい。
【００５４】
また、バスバー２０の端子係止部２４は省略可能である。ただし、この端子係止部２４によって端子４０をバスバー２０側に一次係止することにより、バスバー２０の嵌合部２２と端子４０との嵌合状態をより確実に維持でき、この嵌合状態のまま端子４０をバスバー２０と一体に移動させることができる。
【００５５】
また、前記バスバー仮係止孔２６ａは省略可能である。また、バスバー２０を前記第一の位置と第二の位置とで絶縁ハウジング１０に係止する場合であっても、前記のようにバスバー２０側に絶縁ハウジング１０に係止される二つの被係止部（バスバー仮係止孔２６ａ、バスバー本係止孔２６ｂ）を設けるのではなく、絶縁ハウジング１０側にバスバー２０を係止するための二つの係止部を設けるようにしてもよい。
【００５６】
また、前記操作孔１８の代わりに、絶縁ハウジング１０に弾性変形可能な押圧部等を設け、この押圧部の操作によって前記バスバー２０を移動させるようにしてもよい。
【図面の簡単な説明】
【００５７】
【図１】本発明に係るジョイントコネクタの概略斜視図である。
【図２】図１に示すジョイントコネクタの絶縁ハウジングを透視した状態での斜視図である。
【図３】図１に示すジョイントコネクタに設けられるバスバーの概略斜視図である。
【図４】図３に示すバスバーが第一の位置にある状態における図１に示すジョイントコネクタの縦断面図である。
【図５】図４の横断面図である。
【図６】図３に示すバスバーが第二の位置にある状態における図１に示すジョイントコネクタの縦断面図である。
【図７】図６の横断面図である。
【符号の説明】
【００５８】
１      ジョイントコネクタ
１０    絶縁ハウジング
１２    端子収容室
１２ａ  第一端子挿通部
１２ｂ  第二端子挿通部
１５  抜け止め部
１６    バスバー係止突起
１７    バスバー収容室（収容部）
１８    操作孔(操作部)
２０    バスバー（短絡部材）
２２    嵌合部
２４    端子係止部
２６ａ  バスバー仮係止孔
２６ｂ  バスバー本係止孔
３０    電線
４０    端子
４２    電気接続部
４２ｄ  後端面（当接部）
【図１】
2008198392.tif 000003
【図２】
2008198392.tif 000004
【図３】
2008198392.tif 000005
【図４】
2008198392.tif 000006
【図５】
2008198392.tif 000007
【図６】
2008198392.tif 000008
【図７】
2008198392.tif 000009